(57)【要約】【課題】  バルコニ床から落下した水を受ける樋部材と、この樋部材が接合されているバルコニ構成部材との間に水が侵入しても、この水を漏洩させることなくバルコニの外部に排出できるバルコニの防水構造を提供すること。【解決手段】  デッキ部材２７等で形成されたバルコニ床から落下した水を受ける上樋部材５０はバルコニ構成部材であるバルコニ妻梁部材１１に接合され、上樋部材５０の下側には、上樋部材５０とバルコニ妻梁部材１１との接合部に跨る大きさとなっている下樋部材６０が配置され、上樋部材５０とバルコニ妻梁部材１１との間に侵入して落下する水は、下樋部材６０で受けられることになり、この水は下樋部材６０を含む排出経路を経てバルコニ１の外部に排出される。【選択図】  図２
2006070522.tif 000002
【特許請求の範囲】
【請求項１】
バルコニ床から落下する水を受ける樋部材がバルコニ構成部材に接合されているバルコニの防水構造において、前記樋部材は上樋部材であり、この上樋部材の下側に下樋部材が配置され、この下樋部材は、前記バルコニ構成部材と前記上樋部材との接合部に跨る大きさを有していることを特徴とするバルコニの防水構造。
【請求項２】
請求項１に記載のバルコニの防水構造において、前記下樋部材は、前記バルコニ構成部材における前記上樋部材が接合された面を越えてこのバルコニ構成部材の下面まで達する大きさを有し、前記下樋部材の端部は前記バルコニ構成部材の下面に結合されていることを特徴とするバルコニの防水構造。
【請求項３】
請求項１又は２に記載のバルコニの防水構造において、前記バルコニ構成部材は他のバルコニ構成部材と結合され、前記下樋部材は、互いに結合されているこれらのバルコニ構成部材同士の結合部の下側まで達する大きさを有していることを特徴とするバルコニの防水構造。
【請求項４】
請求項１〜３のいずれかに記載のバルコニの防水構造において、前記バルコニ床は複数個のデッキ部材の並設によって形成され、前記上樋部材と前記下樋部材は、これらのデッキ部材の並設方向に延びて前記デッキ部材の全部に跨る長さを有していることを特徴とするバルコニの防水構造。
【請求項５】
請求項３又は４に記載のバルコニの防水構造において、互いに接合されている前記バルコニ構成部材は、バルコニの輪郭を形成するバルコニ桁梁部材とバルコニ妻梁部材であることを特徴するバルコニの防水構造。
【請求項６】
請求項５に記載のバルコニの防水構造において、前記上樋部材は前記バルコニ妻梁部材の延出方向への長さを有しているとともに、この上樋部材は前記バルコニ妻梁部材におけるバルコニ内側の面に接合され、前記バルコニ桁梁部材と前記バルコニ妻梁部材は、前記バルコニ桁梁部材の長さ方向の端面が前記バルコニ妻梁部材のバルコニ内側の面と対面して結合され、前記下樋部材は、前記上樋部材の全長を超える長さであって前記バルコニ妻梁部材の先端まで達する長さを有することを特徴とするバルコニの防水構造。
【発明の詳細な説明】
【技術分野】
【０００１】
本発明は、バルコニ床から落下する水を受ける樋部材がバルコニ構成部材に接合されているバルコニの防水構造に係り、住宅等の建物に付設されるバルコニや、建物の一部として一体施工等されるバルコニに利用できるものである。
【背景技術】
【０００２】
下記の特許文献１にはバルコニの防水構造が示されている。この防水構造では、水勾配を有するバルコニ床の端部から落下した水を受ける樋部材が、バルコニ構成部材となっているバルコニ桁梁部材に接合され、バルコニ床からこの樋部材に落下した雨水等の水が他の樋部材を介してバルコニの外部に排出されるようになっている。
【特許文献１】特開２００２−５４２７５（段落番号００３８、段落番号００４９、図３）
【発明の開示】
【発明が解決しようとする課題】
【０００３】
バルコニに求められる機能の一つとして、バルコニ床の上に降った雨水等の水を所定経路を経てバルコニの外部に排出できるようにする排水機能がある。この排水機能のためには、防水構造が上述のように構成されているバルコニでは、バルコニ床から落下した水を受ける樋部材と、この樋部材が接合されているバルコニ構成部材との間に水が侵入しても、この水を漏洩させることなくバルコニの外部に排出できるように工夫することが求められる。
【０００４】
本発明の目的は、バルコニ床から落下した水を受ける樋部材と、この樋部材が接合されているバルコニ構成部材との間に水が侵入しても、この水を漏洩させることなくバルコニの外部に排出できるようになるバルコニの防水構造を提供するところにある。
【課題を解決するための手段】
【０００５】
本発明に係るバルコニの防水構造は、バルコニ床から落下する水を受ける樋部材がバルコニ構成部材に接合されているバルコニの防水構造において、前記樋部材は上樋部材であり、この上樋部材の下側に下樋部材が配置され、この下樋部材は、前記バルコニ構成部材と前記上樋部材との接合部に跨る大きさを有していることを特徴とするものである。
【０００６】
このバルコニの防水構造によると、バルコニ床から落下する水を受ける樋部材は上樋部材となっており、この上樋部材の下側に下樋部材が配置され、この下樋部材は、バルコニ構成部材と上樋部材との接合部に跨る大きさを有しているため、バルコニ構成部材と上樋部材との間に雨水等の水が侵入し、この水がバルコニ構成部材と上樋部材との間から落下しても、この水は下樋部材によって受けられることになり、このため、水を漏洩させることなくバルコニの外部に排出することが可能となる。
【０００７】
なお、下樋部材によって受けられた水をバルコニの外部に排出するためには、下樋部材から直接バルコニの外部に排出してもよく、下樋部材に接続した別の樋部材を介してバルコニの外部に排出する等としてもよい。
【０００８】
本発明に係るバルコニの防水構造において、下樋部材がバルコニ構成部材と上樋部材との接合部に跨る大きさを有している限りにおいて、下樋部材の大きさは任意であり、その一例は、下樋部材を、バルコニ構成部材における上樋部材が接合された面を越えてこのバルコニ構成部材の下面まで達する大きさとすることである。
【０００９】
このように下樋部材を、バルコニ構成部材における上樋部材が接合された面を越えてこのバルコニ構成部材の下面まで達する大きさとする場合には、下樋部材の端部をこのバルコニ構成部材の下面に結合することにより、このバルコニ構成部材を、下樋部材を取り付けるための取付部材として利用することができる。
【００１０】
また、本発明に係るバルコニの防水構造は、前記バルコニ構成部材が他のバルコニ構成部材とどのような配置関係になっていても適用でき、前記バルコニ構成部材が他のバルコニ構成部材と結合されている場合には、下樋部材を、互いに結合されているこれらのバルコニ構成部材同士の結合部の下側まで達する大きさとしてもよく、達しない大きさとしてもよい。
【００１１】
下樋部材を、互いに結合されているバルコニ構成部材同士の結合部の下側まで達する大きさとすると、雨水等の水が互いに結合されているバルコニ構成部材同士の間に侵入し、この結合部から落下しても、この水をも下樋部材によって受けることができるようになり、同じ下樋部材により、バルコニ構成部材と上樋部材との間に侵入した水と、互いに結合されているバルコニ構成部材同士の間に侵入した水とを処理することができるため、この下樋部材の機能を拡大することができる。
【００１２】
また、バルコニ床が複数個のデッキ部材の並設によって形成されている場合には、上樋部材と下樋部材は、これらのデッキ部材の並設方向に延びてデッキ部材の全部に跨る長さとなっていてもよく、このような長い長さとなっていない短い長さとなっていてもよい。
【００１３】
上樋部材と下樋部材が、デッキ部材の並設方向に延びてデッキ部材の全部に跨る長さとなっていると、デッキ部材同士の間の隙間や、デッキ部材にそのデッキ部材の長さ方向に形成された溝等に侵入してデッキ部材の長さ方向の端部側から落下する雨水等の水も、上樋部材と下樋部材によって処理できるようになり、これらの樋部材で多くの水を処理できる。
【００１４】
なお、複数個のデッキ部材の並設方向は、バルコニの張り出し方向でもよく、建物外壁に沿った左右方向でもよく、これらを組み合わせた方向でもよい。
【００１５】
本発明は、上樋部材が接合されているバルコニ構成部材が、バルコニ妻梁部材やバルコニ桁梁部材等のバルコニ構造材である場合にも適用でき、バルコニ構造材以外の部材である場合にも適用できる。
【００１６】
そして、下樋部材を、互いに結合されているバルコニ構成部材同士の結合部の下側まで達する大きさとする場合において、互いに結合されているバルコニ構成部材同士は、バルコニ構造材同士でもよく、バルコニ構造材以外の部材同士でもよく、バルコニ構造材とバルコニ構造材以外の部材でもよい。
【００１７】
そして、下樋部材を、互いに結合されているバルコニ構成部材同士の結合部の下側まで達する大きさとし、かつ、互いに結合されているバルコニ構成部材同士をバルコニ構造材同士とする場合における一例は、上樋部材を、バルコニ妻梁部材の延出方向への長さを有するものとするとともに、この上樋部材をバルコニ妻梁部材におけるバルコニ内側の面に接合し、バルコニ桁梁部材とバルコニ妻梁部材を、バルコニ桁梁部材の長さ方向の端面をバルコニ妻梁部材のバルコニ内側の面と対面させて結合し、下樋部材を、上樋部材の全長を超える長さであってバルコニ妻梁部材の先端まで達する長さとすることである。
【００１８】
本発明は、床が任意な形態で形成されるバルコニに適用でき、その一例は、床が前述したように複数個のデッキ部材の並設で形成されるバルコニであり、また、他の例は、床が防水パンで形成されるバルコニであり、さらに、他の例は、床が１個又は複数個のデッキ部材と１個又は複数個の防水パンとの組み合わせで形成されるバルコニ等である。
【００１９】
また、本発明は、住宅等の建物に後付け作業で付設されるバルコニにも適用でき、建物の建築と同時に一体施工されるバルコニにも適用できる。また、本発明は、支柱で支持されないバルコニと支柱で支持されるバルコニの両方に適用できる。
【発明の効果】
【００２０】
本発明によると、バルコニ床から落下した水を受ける樋部材と、この樋部材が接合されているバルコニ構成部材との間に水が侵入しても、この水を漏洩させることなくバルコニの外部に排出できるという効果を得られる。
【発明を実施するための最良の形態】
【００２１】
以下に本発明を実施するための形態を図面に基づいて説明する。図１は、本発明の一実施形態に係るバルコニ１の側断面図であり、図２は、図１のＳ２−Ｓ２線断面図である。また、図３は、図２の平面図である。
【００２２】
図１で示されているように、バルコニ１は支柱で支持されていないカンティバルコニであり、このバルコニ１が設けられている住宅の外壁２は、外壁２に沿って水平に延びる住宅の骨組み材である梁部材３に胴縁４を介して取り付けられたサイディング５で形成されている。梁部材３の上部には、バルコニ１へ出入りするための出入口用開口部６の外枠を形成するサッシ７が配置され、このサッシ７に嵌め込まれている図示外の障子を開閉することにより、住宅の居室からバルコニ１へ開口部６を通って出入りすることができる。
【００２３】
バルコニ１の骨組みは、図１で示されているバルコニ桁梁部材１０と、図１及び図２で示されているバルコニ妻梁部材１１とで構成され、これらの桁梁部材１０と妻梁部材１１は、バルコニ１の輪郭を形成するバルコニ構成部材であって、バルコニ構造材となっている。
【００２４】
バルコニ１の左右両側に設けられている妻梁部材１１（図２には、これらの妻梁部材１１のうちの一方が示されている）の基端部は、梁部材３から胴縁４とサイディング５を貫通して住宅の外側へ延びている図示外のアーム部材に結合されており、このように、このアーム部材を介して住宅の躯体である梁部材３に基端部が結合されている左右２本の妻梁部材１１の先端部に桁梁部材１０が架設され、桁梁部材１０と妻梁部材１１との結合は、図３で示されたアングル材による結合部材１２によって行われている。
【００２５】
そして、結合部材１２による桁梁部材１０と妻梁部材１１との結合は、桁梁部材１０の長さ方向の端面１０Ｄを妻梁部材１１のバルコニ内側の面１１Ａに対面させて行われている。
【００２６】
図１と図２から分かるように、桁梁部材１０と妻梁部材１１には、手摺り１４用の支柱１５が立設され、これらの支柱１５の上端には手摺り１４用のトップレール１６が架け渡されている。
【００２７】
図１で示されているように、住宅の外壁２には根太受け部材２０が取り付けられ、この根太受け部材２０と対向している桁梁部材１０のバルコニ内側の面には、バルコニ内側方向に延出した根太受け部２１が引き抜き成形品又は押し出し成形品である桁梁部材１０の一部として形成されている。それぞれがバルコニ１の左右方向（図１に対する直角方向）に延びる長さを有している根太受け部材２０と根太受け部２１の上には、バルコニ１の内外方向への長さ、言い換えると、住宅の外壁２からのバルコニ２の張り出し方向への長さを有する根太２２の両端部が載せられ、この根太２２は、根太受け部材２０と根太受け部２１にビス等による止着具２３で止着されている。このような根太２２は、図２及び図３で示されているように、バルコニ１の張り出し方向と直交するバルコニ１の左右方向に複数本設けられている。
【００２８】
そして、図１で示されているように、これらの根太２２の上には、バルコニ床を形成する複数個のデッキ部材、本実施形態では３個のデッキ部材２６〜２８が載せられている。これらのデッキ部材２６〜２８は長さ方向がバルコニ１の左右方向となっている細幅部材であり、これらのデッキ部材２６〜２８はバルコニ１の内外方向に並設されている。それぞれの根太２２は、根太受け部材２０と根太受け部２１の高さ位置の差に基づいてバルコニ１の張り出し方向に下り傾斜しているため、デッキ部材２６〜２８は、根太２２の下り傾斜に基づく水勾配をもって並設されている。言い換えると、デッキ部材２６〜２８で形成されているバルコニ１の床は、バルコニ１の張り出し方向へ下り傾斜した水勾配を有している。
【００２９】
本実施形態では、３個のデッキ部材２６〜２８のうち、住宅の外壁２から最も遠いデッキ部材２８は、例えば、アルミ合金等による金属製であり、他のデッキ部材２６及び２７は合成樹脂製であり、これらのデッキ部材２６及び２７は中空部材である。なお、全部のデッキ部材２６〜２８が合成樹脂製でもよく、アルミ合金等による金属製でもよい。
【００３０】
また、３個のデッキ部材２６〜２８は、ビス等の止着具２９で根太２２に止着されているとともに、互いに隣接配置されているデッキ部材２６とデッキ部材２７、及びデッキ部材２７とデッキ部材２８は、バルコニ１の内外方向の重複幅をもって重なり合っている。また、止着具２９で根太２２に止着されているデッキ部材２６及び２７の箇所は、上向きに開口した溝となっており、デッキ部材２６，２７の長さ方向の端部まで連続していてこの端部の位置で開口しているこれらの溝には溝カバー３０が配置されている。さらに、デッキ部材２６と住宅の外壁２との間には、水切り部材３１が配置されている。
【００３１】
図５は、この水切り部材３１の周辺を示す図１の一部拡大図である。水切り部材３１はデッキ部材２６〜２８と同じく住宅の外壁２に沿って延びる長さを有し、水切り部材３１の長さは、これらのデッキ部材２６〜２８の長さと同じ又は略同じとなっている。また、水切り部材３１は、アルミ合金等の金属製の引き抜き成形品又は押し出し成形品である本体７０と、弾性変形可能なゴム等からなる防水シール片７１とからなる。本体７０は、上下に延びる上下延出部７０Ａと、この上下延出部７０Ａの上端近くから前方へ、すなわちバルコニ１の張り出し方向へ延びる上部前方延出部７０Ｂと、上下延出部７０Ａの下端からバルコニ１の張り出し方向へ延び、デッキ部材２６における住宅の外壁２側の一部が載せられた下部前方延出部７０Ｃと、上部前方延出部７０Ｂよりも下側において、上下延出部７０Ａから住宅の外壁２側へ延びる防水部材受け部７０Ｄとからなる。水切り部材３１は、下部前方延出部７０Ｃにおいて、ビス等の止着具７９で根太２２に取り付けられている。
【００３２】
上部前方延出部７０Ｂの先端には、防水シール片７１を下向きに垂下固定するための固定部７０Ｅが形成されている。また、上下延出部７０Ａの前面には防水部材７２が接着剤等で取り付けられ、この防水部材７２は軟質の多孔質材料からなるため、圧縮変形可能である。
【００３３】
前記デッキ部材２６〜２８のうち、住宅の外壁２に最も近い中空部材となっているデッキ部材２６には、内部の複数の中空室Ｓを形成する仕切り壁７５が設けられ、これらの仕切り壁７５のうち、住宅の外壁２に最も近い仕切り壁７５Ａの上部には、デッキ部材２６の上面部２６Ａの一部となって外壁２側へ突出した突出片７６が形成され、この突出片７６において、水切り部材３１の防水シール片７１はデッキ部材２６の上面部２６Ａに接触している。
【００３４】
仕切り壁７５Ａよりも後側の部分、すなわち、仕切り壁７５Ａよりも住宅の外壁２側の部分は、底面部７３を介してこの仕切り壁７５Ａと接続されたデッキ部材２６の後端部７４となっており、立上り壁となっているこの後端部７４と突出片７６との間には隙間７７が設けられているため、水切り部材３１の防水シール片７１が接触しているデッキ部材２６の上面部２６Ａのうちの突出片７６よりも住宅の外壁２側の部分は、仕切り壁７５Ａと底面部７３と後端部７４とで形成されたデッキ部材２６の溝７８となっており、本実施形態では、上向きに開口しているこの溝７８は、突出片７６よりも住宅の外壁２側の部分と、突出片７６の下側部分との両方に跨るバルコニ張り出し方向の幅寸法が大きなものとなっている。
【００３５】
なお、水切り部材３１の防水シール片７１をデッキ部材２６の突出片７６に接触させず、防水シール片７１を、デッキ部材２６に形成されている溝７８に上から臨ませて溝７８の内方へ達するように、隙間７７の位置に配置してもよい。
【００３６】
図６は、デッキ部材２６を根太２２の上に配置する前の水切り部材３１を示す。この図６で示されているとおり、デッキ部材２６が根太２２の上に配置される前において、言い換えると、デッキ部材２６が、根太２２に止着具７９で取り付けられた水切り部材３１に対して配置される前において、水切り部材３１の上下延出部７０Ａの前面には、予め防水部材７２が取り付けられている。この取り付けは、例えば、水切り部材３１がバルコニ施工現場へ出荷される前の工場において、又はバルコニ施工現場でデッキ部材２６を水切り部材３１に対して配置する作業の前において、行われる。
【００３７】
水切り部材３１の下部前方延出部７０Ｃを根太２２の上に載せ、この下部前方延出部７０Ｃを止着具７９で根太２２に取り付けた後、図５で示されているように、デッキ部材２６を根太２２の上に前記止着具２９で取付配置する作業が行われ、この作業により、防水部材７２は、デッキ部材２６の後端部７４と住宅の外壁２との間に配置されている水切り部材３１の上下延出部７０Ａと、デッキ部材２６の後端部７４とにより挟着されるため、防水部材７２は圧縮変形することにより、これらの水切り部材３１の上下延出部７０Ａと、デッキ部材２６の後端部７４との間を防水シールする。
【００３８】
また、水切り部材３１を止着具７９で根太２２に取り付ける作業は、水切り部材３１の防水部材受け部７０Ｄを住宅の外壁２に当接させて行われ、止着具７９による水切り部材３１の根太２２への取付作業後、防水部材受け部７０Ｄの上に湿式の防水部材８０を充填する作業が行われ、防水部材受け部７０Ｄで受けられて乾燥固化するこの防水部材８０により、水切り部材３１と住宅の外壁２との間が防水シールされる。
【００３９】
図５には、前記根太２２を受けている前記根太受け部材２０も示されている。根太受け部材２０における根太２２の下側に配置された先端部は起立部２０Ａとなっており、この起立部２０Ａにより、根太受け部材２０の先部には溝２０Ｂが形成されている。この溝２０Ｂは、前述した溝カバー３０が配置されているデッキ部材２６，２７の溝と同じく、住宅の外壁２に沿って延びている根太受け部材２０の長さ方向の端部まで連続し、溝２０Ｂは、根太受け部材２０のこの端部の位置で開口している。
【００４０】
水切り部材３１を含むバルコニ１の床に雨が降ると、この床を形成しているデッキ部材２６〜２８は、上述したように、バルコニ１の張り出し方向へ下り傾斜した水勾配をもって並設されているため、雨水はデッキ部材２６〜２８の上面部に沿ってバルコニ１の外側方向へ流下し、水勾配方向の最も下側に配置されたデッキ部材２８の下流側の部分に集まる。
【００４１】
図４は、このデッキ部材２８及びその周辺を示す図１の一部拡大図である。デッキ部材２８の水勾配方向上流側の端部２８Ａは、前記止着具２９で根太２２に止着されている。デッキ部材２７の水勾配方向下流側の端部２７Ａは、デッキ部材２８の上面部２８Ｄの上に防水部材３３Ａを介して載せられ、デッキ部材２８に、端部２８Ａよりも水勾配方向下流側に形成されている起立部２８Ｈは、デッキ部材２７に形成されている下段部２７Ｂの下面に防水部材３３Ｂを介して当接している。そして、デッキ部材２８の起立部２８Ｈよりも水勾配方向下流側は溝３２となっており、この溝３２は、上記溝カバー３０が配置されているデッキ部材２６，２７の溝と同じく、デッキ部材２８の長さ方向の端部まで連続し、この端部の位置で開口している。また、デッキ部材２８の脚部２８Ｃの上端に形成されている上記上面部２８Ｄは、歩行可能な面となっている。
【００４２】
なお、デッキ部材２７とデッキ部材２８とのこの連続構造において、防水部材３３Ａ、３３Ｂを省略してもよい。
【００４３】
デッキ部材２８には、上面部２８Ｄよりも水勾配方向下流側において、樋部４０が形成され、この樋部４０は上向きに開口した凹部となっている。このため、樋部４０は、水勾配方向下流側と上流側の立上り壁４０Ａと４０Ｂと、これらの立上り壁４０Ａと４０Ｂの間の底面部４０Ｃとからなる。このような凹部による樋部４０は、バルコニ１の左右方向に延びているデッキ部材２８の全長に亘って形成されている。デッキ部材２８には、水勾配方向下流側の立上り壁４０Ａと連続していてバルコニ１の内側へ下り傾斜した傾斜面部２８Ｅが設けられ、この傾斜面部２８Ｅの上端と連続している起立部２８Ｆの端部は、デッキ部材２８のバルコニ外側方向の先端部２８Ｇとなっている。この先端部２８Ｇは、バルコニ１の内側に向かって開口した断面コ字形状となっている。
【００４４】
デッキ部材２８とバルコニ内外方向に隣接している前述したバルコニ桁梁部材１０には、この桁梁部材１０の上面から一体にバルコニ１の内側に延びる水切り部１０Ａが設けられ、デッキ部材２８の先端部２８Ｇはこの水切り部１０Ａの下側に配置されているとともに、先端部２８Ｇは水切り部１０Ａの下面に結合具４１で結合されており、先端部２８Ｇと水切り部１０Ａとの結合は、先端部２８Ｂと桁梁部材１０のバルコニ内側の面１０Ｂとの間に防水部材４２が介設されてなされている。なお、先端部２８Ｇと水切り部１０Ａとの間に防水部材を配置してもよい。
【００４５】
デッキ部材２８の凹部による樋部４０には、デッキ部材２８の全長又は略全長に亘る長さを有する樋カバー４５が取り外し可能に配置されている。この樋カバー４５は、例えば、アルミ合金による金属製であって、デッキ部材２８と同じ材料で形成されている。また、樋カバー４５は、上面部４５Ａと、水勾配方向に離れている一対の脚部４５Ｂと、上面部４５Ａの水勾配方向両側の端部に設けられた垂下部４５Ｃとからなる。また、上面部４５Ａと脚部４５Ｂには水通過部である孔４６が形成され、脚部４５Ｂにおける樋部４０の底面部４０Ｃと接触している下端には、水通過部である切り欠き４７が形成されている。
【００４６】
樋カバー４５の上面部４５Ａは踏み付け可能な強度を有し、脚部４５Ｂもこの踏み付け力に対する充分な強度を有し、このため、人が樋カバー４５の上に立つことや歩行することが可能である。また、樋カバー４５を樋部４０に配置したときにおける上面部４５Ａの高さ位置は、図４で示されているように、デッキ部材２８自身が有している水勾配を考慮しても、また考慮しなくても、デッキ部材２８の上記上面部２８Ｄの高さ位置と略一致している。したがって、人がバルコニ１の床を歩行したとき、これらの上面部４５Ａと２８Ｄの間で殆ど高さのギャップを感じることがない。
【００４７】
なお、樋カバー４５を樋部４０に配置したときにおける上面部４５Ａの高さ位置を、デッキ部材２８の上面部２８Ｄの高さ位置と一致させてもよい。
【００４８】
図２で示されているとおり、前述した妻梁部材１１には、バルコニ１の内側において、バルコニ１の張り出し方向である妻梁部材１１の延出方向に延びている上樋部材５０が取り付けられている。この上樋部材５０は、図１で示されているように、デッキ部材２６〜２８の並設方向に延びていてこれらのデッキ部材２６〜２８の全部に跨る長さ、言い換えると、デッキ部材２８の前記先端部２８Ｇからデッキ部材２６の後端部７４までの長さを有し、その前後の端部５０Ａ，５０Ｂは塞がれている。
【００４９】
また、上樋部材５０は、図２で示されているように、妻梁部材１１のバルコニ内側の鉛直の面１１Ａにビス等の止着具で接合された外側壁部５０Ｃと、上端部がデッキ部材２６〜２８に、下端部が桁梁部材１０の前記根太受け部２１及び図１で示されている前記根太受け部材２０にそれぞれ結合された内側壁部５０Ｄと、外側壁部５０Ｃの下端部と内側壁部５０Ｄの高さ中間部との間に架設されている底面部５０Ｅとからなる。上樋部材５０の外側壁部５０Ｃが接合されている妻梁部材１１のバルコニ内側の面１１Ａは、図３で説明したとおり、桁梁部材１０の長さ方向の端面１０Ｄが対面している面である。
【００５０】
上述した形状となっている上樋部材５０は、図１で示されているとおり、バルコニ１の外側方向へ下り傾斜した水勾配を有している。そして、上樋部材５０の底面部５０Ｅの水勾配方向下流端部又はその近傍には、下側へ延びる短寸の縦樋部材５１が取り付けられている。
【００５１】
また、図２で示されているように、上樋部材５０の外側壁部５０Ｃの上端部にはカバー部材５２が取り付けられ、デッキ部材２６〜２８の上方においてバルコニ１の内側へ延出しているこのカバー部材５２によって上樋部材５０の上方が塞がれている。
【００５２】
図２で示すように、上樋部材５０の下側には下樋部材６０が配置され、バルコニ１の張り出し方向へ下り勾配となって配置されているこの下樋部材６０は妻梁部材１１の下面１１Ｂを下側から覆うとともに、上樋部材５０を越えてバルコニ１の内側方向に達する幅寸法を有し、下樋部材６０の幅方向両側の立上り端部６０Ａ，６０Ｂのうち、バルコニ１の外側方向の立上り端部６０Ａは妻梁部材１１の下面１１Ｂに結合され、バルコニ１の内側方向の立上り端部６０Ｂは、桁梁部材１０の前記根太受け部２１と、図１で示されている前記根太受け部材２０とに結合されている。
【００５３】
上樋部材５０の下側に配置されている下樋部材６０はこのような形状、構造となっているため、下樋部材６０は、上樋部材５０と妻梁部材１１との接合部に跨る大きさを有しているとともに、上樋部材５０が接合されている妻梁部材１１のバルコニ内側の面１１Ａを越えて妻梁部材１１の下面１１Ｂまで達する大きさを有している。
【００５４】
また、下樋部材６０は、図１で示されているように、桁梁部材１０の前面１０Ｃ（この前面１０Ｃは妻梁部材１１の先端面と一致している）から住宅の前記外壁２の近くまで達する長さを有し、この長さは上樋部材５０の長さよりも長い。すなわち、下樋部材６０は上樋部材５０の全長を超える長さとなっており、また、下樋部材６０は、桁梁部材１０と妻梁部材１１との結合部の下側まで達する長さを有している。そして、下樋部材６０の前端部６０Ｃは塞がれており、後端部もキャップ部材６１で塞がれている。
【００５５】
下樋部材６０の底面部６０Ｄには、桁梁部材１０の近くにおいて、樋部材６２が接続され、バルコニ１の下面から露出しているこの樋部材６２には、住宅の前記外壁２に沿って下側へ延びる縦樋部材６４が中間樋部材６３を介して接続されている。なお、下樋部材６０の水勾配を住宅の外壁２側へ下り勾配とすることにより、この外壁２の近くにおいて樋部材６２を下樋部材６２に接続してもよい。
【００５６】
以上の上樋部材５０及び下樋部材６０は、バルコニ１の左右両側に２本ある妻梁部材１１ごとに設けられ、また、樋部材６２〜６４も妻梁部材１１ごとに設けられている。
【００５７】
前述したように、バルコニ１の床に雨が降ると、雨水はデッキ部材２６〜２８の上面部に沿ってバルコニ１の外側方向へ流下することになり、水勾配方向の最も下側に配置されたデッキ部材２８に達した雨水は、このデッキ部材２８に上向きに開口した凹部として形成されている前記樋部４０に流れ落ちる。この樋部４０には樋カバー４５が配置されているが、この樋カバー４５は、樋部４０よりもバルコニ１の内外方向（前記水勾配方向及びバルコニ１の張り出し方向）の幅寸法が小さく、かつ、上面部４５Ａや脚部４５Ｂには、水通過部となっている孔４６、切り欠き４７が形成されているため、樋カバー４５は雨水が樋部４０に流入する際の障害にはならない。
【００５８】
樋部４０に流れ落ちた雨水は、樋部４０がデッキ部材２８の長さ方向両端部で開口しているためこれらの開口端部から落下し、その下に配置されている図２の上樋部材５０によって受けられる。そして、雨水は、前記短寸の縦樋部材５１から下樋部材６０に流下し、この下樋部材６０から樋部材６２〜６４を経てバルコニ１の外部に排出される。
【００５９】
また、たとえ、前記溝カバー３０が配置されているデッキ部材２６，２７の前記溝や、デッキ部材２８に形成されている前記溝３２、デッキ部材２６とデッキ部材２７との間の隙間に雨水が侵入しても、これらの溝や隙間は、樋部４０と同様に、それぞれのデッキ部材２６〜２８の長さ方向両端部まで延びていて、これらの端部は開口端部となっているため、これらの溝や隙間に侵入した雨水は、溝や隙間の開口端部からデッキ部材２６〜２８の下側に配置されている上樋部材５０へ落下し、これ以後、上述の雨水と同様にして下樋部材６０等を経てバルコニ１の外部に排出される。
【００６０】
また、たとえ、図５で示した水切り部材３１の防水部材受け部７０Ｄで受けられている防水部材８０と住宅の外壁２との間に雨水等の水が侵入し、この水が防水部材受け部７０Ｄと住宅の外壁２との間から下に落下することがあっても、この水は、根太受け部材２０の前記溝２０Ｂに達するため、この溝２０Ｂから上述の雨水と同様にして上樋部材５０や下樋部材６０等を経てバルコニ１の外部に排出される。
【００６１】
さらに、住宅の外壁２とデッキ部材２６との間は、デッキ部材２６〜２８と同じ又は略同じ長さ寸法を有していて外壁２に沿って延びている図５の水切り部材３１で防水されており、この水切り部材３１の防水シール片７１は、デッキ部材２６の上面部２６Ａの一部を形成している前記突出片４６に接触し、これにより、デッキ部材２６のこの箇所が防水シールされているため、雨水が防水シール片７１よりも住宅の外壁２側に達することが防止されている。
【００６２】
そして、雨水が、たとえ、この防水シール片７１よりも住宅の外壁２側に達することがあっても、デッキ部材２６のこの部分は、上向きに開口した図５の前記溝７８となっているため、雨水はこの溝７８に落下することになる。また、溝７８は、デッキ部材２６の長さ方向の両端部まで達する長さを有し、溝７８の両端部はデッキ部材２６の長さ方向の両端部で開口しているため、溝７８に落下した雨水は、溝７８の開口端部から前記上樋部材５０へ落下し、これ以後、前述した下樋部材６０等からなる流出経路を経てバルコニ１の外部に排出される。
【００６３】
また、図２で説明したように、上樋部材５０の外側壁部５０Ｃは妻梁部材１１のバルコニ内側の面１１Ａに接合されているが、雨水がこれらの外側壁部５０Ｃと面１１Ａとの間に侵入しても、この下には、上樋部材５０の長さの全体をカバーして配置されている下樋部材６０が設けられているため、このような雨水は下樋部材６０で受けられることになり、この後、下樋部材６０や他の樋部材６２等を経てバルコニ１の外部に排出される。
【００６４】
さらに、桁梁部材１０と妻梁部材１１との結合部の隙間に雨水が侵入しても、この隙間の下端から落下した雨水は下樋部材６０の上に落ちることになるため、このような雨水も下樋部材６０等を経てバルコニ１の外部へ排出される。
【００６５】
さらに、デッキ部材２８に上向きの凹部となって形成された樋部４０には、踏み付け可能となった上面部４５Ａを有する樋カバー４５が配置されているため、この樋部４０の部分でも、樋カバー４５の上で立つことや歩行することが可能となり、このため、バルコニ床を形成するデッキ部材２８に樋部４０を形成しても、バルコニの有効床面積を大きくすることができる。
【００６６】
なお、左右寸法が大きいバルコニについては、前述した左右２本の妻梁部材１１の間にこれらの妻梁部材１１と平行に中間梁部材が設けられ、妻梁部材１１と同じく基端部がアーム部材を介して住宅の梁部材３に結合されるこの中間梁部材と一方の妻梁部材１１との間及び中間梁部材と他方の妻梁部材１１との間に、それぞれ桁梁部材が架設される。そして、凹部による樋部４０が形成されているデッキ部材２８を含むデッキ部材２６〜２８と水切り部材３１も、中間梁部材と一方の妻梁部材１１との間及び中間梁部材と他方の妻梁部材１１との間に配置され、中間梁部材の左右両側に、図２で示した妻梁部材１１に対する構造と同様な構造によって上樋部材５０と下樋部材６０が配置され、これらの下樋部材６０に樋部材６２〜６４が接続されることにより、中間梁部材の左右両側に配置されたそれぞれのデッキ部材２８の樋部４０やデッキ部材２６の溝７８等に落下した雨水は、これらの樋部材５０，６０，６２〜６４を経てバルコニ１の外部に排出される。
【００６７】
以上説明した本実施形態によると、上樋部材５０は、バルコニ構成部材となっている妻梁部材１１のバルコニ内側の面１１Ａに接合されており、デッキ部材２８の樋部４０の開口端部や、前記溝カバー３０が配置されているデッキ部材２６，２７の前記溝の開口端部、デッキ部材２８の溝３２の開口端部、さらには、デッキ部材２６とデッキ部材２７との間の隙間の開口端部から上樋部材５０に向かって落下した水の一部が、上樋部材５０と妻梁部材１１のバルコニ内側の面１１Ａとの間に侵入し、その下に落下することがあっても、この下には、上樋部材５０と妻梁部材１１との接合部に跨る大きさを有している下樋部材６０が配置されているため、この水をこの下樋部材６０によって受けることができ、そして、下樋部材６０を介してバルコニ１の外部に排出することができ、このため、水の漏洩を防止することができる。
【００６８】
また、本実施形態によると、下樋部材６０は、妻梁部材１１の下面に取り付けられているため、上樋部材５０が接合されているために上樋部材５０を取り付けるための取付部材となっている妻梁部材１１を、下樋部材６０を取り付けるための取付部材としても利用することができ、それだけバルコニ１の全体構造を簡単化することができる。
【００６９】
また、上樋部材５０と下樋部材６０は、バルコニ床を形成するために並設されているデッキ部材２６〜２８の並設方向に延びているとともに、これらの上樋部材５０と下樋部材６０は、全部のデッキ部材２６〜２８に跨る長さとなっているため、前記溝カバー３０が配置されているデッキ部材２６，２７の前記溝の開口端部や、デッキ部材２８の溝３２の開口端部、デッキ部材２６とデッキ部材２７との間の隙間の開口端部から落下する水についても、これらの上樋部材５０と下樋部材によって対処することができ、また、根太受け部材２０の溝２０Ｂの開口端部や、デッキ部材２６の溝７８の開口端部から落下する水についても、上樋部材５０と下樋部材によって対処することができる。
【００７０】
さらに、下樋部材６０は、桁梁部材１０と妻梁部材１１との結合部の下側まで達する長さとなっているため、桁梁部材１０と妻梁部材１１との結合部に雨水等の水が侵入し、この水がその下に落下することがあっても、この水をも下樋部材６０によって受けることができ、下樋部材６０を介してバルコニ１の外部に排出することができる。
【００７１】
図７は、別実施形態に係る水切り部材９１を示す。住宅の外壁２に沿ってデッキ部材２６〜２８と同じ又は略同じ長さ延びているこの水切り部材９１も、本体１００と、防水シール片１０１とからなるが、本体１００は、第１上下延出部１００Ａと、この第１上下延出部１００Ａの上端近くから前方へ、言い換えると、バルコニ１の張り出し方向へ延びている第１前方延出部１００Ｂと、第１上下延出部１００Ａの下端から住宅の外壁２側へ延びている防水部材受け部１００Ｃと、この防水部材受け部１００Ｃの外壁２側の端部に上端部が接続された第２上下延出部１００Ｄと、この第２上下延出部１００Ｄの下端からバルコニ張り出し方向に延びる第２前方延出部１００Ｅと、この第２前方延出部１００Ｅの先端に下端が接続された第３上下延出部１００Ｆとからなる。
【００７２】
以上の水切り部材９１の本体１００は、第２上下延出部１００Ｄにおいて、止着具１０９で住宅の外壁２に取り付けられている。
【００７３】
また、本体１００の第１前方延出部１００Ｂの先端には、デッキ部材２６の上面部２６Ａの一部を形成している前記突出片７６に接触する防水シール片１０１を下向きに垂下固定するための固定部１００Ｇが形成されている。また、第３上下延出部１００Ｆの前面には、圧縮変形可能な防水部材１０２が取り付けられ、この防水部材１０２の取り付けは、前記実施形態の水切り部材３１と同じく、デッキ部材２６が水切り部材９１に対して配置される前に予め行われており、デッキ部材２６が水切り部材９１に対して配置されると、防水部材１０２は、デッキ部材２６の後端部７４と水切り部材９１の第３上下延出部１００Ｆとの間で圧縮変形され、これにより、防水部材１０２によってデッキ部材２６の後端部７４と水切り部材９１の第３上下延出部１００Ｆとの間が防水シールされる。
【００７４】
また、本体１００に形成されている防水部材受け部１００Ｃの上には、湿式の防水部材１１０が充填され、乾燥固化するこの防水部材１１０によって住宅の外壁２と水切り部材９１との間が防水シールされる。
【００７５】
この実施形態でも、防水シール片１０１とデッキ部材２６との接触箇所を抜けて住宅の外壁２側に達した水は、デッキ部材２６の溝７８に落下し、これ以後、前記実施形態の場合と同様にしてバルコニ１の外部に排出され、また、溝７８に落下した水のうち、デッキ部材２６の後端部７４を越えるものがあっても、この水は、圧縮変形している防水部材１０２により、デッキ部材２６の後端部７４と水切り部材９１の第３上下延出部１００Ｆとの間に侵入することが阻止される。
【００７６】
また、この実施形態によると、デッキ部材２６の溝７８よりも住宅の外壁２側の箇所には、水切り部材９１の本体１００の第２上下延出部１００Ｄと第２前方延出部１００Ｅと第３上下延出部１００Ｆとからなる溝１０３が設けられており、この溝１０３は上向きに開口しているため、溝７８に落下した水のうち、デッキ部材２６の後端部７４、防水部材１０２及び第３上下延出部１００Ｆを越えるものがあっても、この水は、水切り部材９１に形成された溝１０３に落下することになる。この溝１０３は、水切り部材９１の長さ方向の両端部で開口しているため、これらの開口端部から落下した水は、デッキ部材２６の溝７８の開口端部等から落下した水と同じく、前記上樋部材５０の内部に達し、これ以後、前述の流出経路を経てバルコニ１の外部に排出される。
【００７７】
すなわち、この実施形態のように、住宅の外壁２と、デッキ部材２６〜２８のうちの外壁２に最も近いデッキ部材２６との間を防水するための水切り部材９１に、水をデッキ部材２６〜２８の長さ方向に流通させて端部から落下させる溝１０３を設ける場合には、上部材５０及び下部材６０をこの溝１０３まで達する長さとすることにより、溝１０３から落下した水をも上部材５０及び下部材６０に処理することができるようになる。
【産業上の利用可能性】
【００７８】
本発明、バルコニ床から落下した水を受ける樋部材がバルコニ構成部材に接合されているバルコニに利用することができる。
【図面の簡単な説明】
【００７９】
【図１】本発明の一実施形態に係るバルコニを示す側断面図である。
【図２】図１のＳ２−Ｓ２線断面図である。
【図３】図２の平面図である。
【図４】バルコニ床を形成するために水勾配方向に並設された複数のデッキ部材のうち、水勾配方向の最も下側に配置されたデッキ部材及びその周辺を示す図１の一部拡大図である。
【図５】デッキ部材と建物外壁との間を防水するための水切り部材の部分を示す図１の一部拡大図である。
【図６】水切り部材に対してデッキ部材を配置する前を示す図５と同様の図である。
【図７】別実施形態に係る水切り部材を示す図５と同様の図である。
【符号の説明】
【００８０】
１  バルコニ
２  外壁
１０  バルコニ構成部材であるバルコニ桁梁部材
１０Ｄ  バルコニ桁梁部材の長さ方向の端面
１１  バルコニ構成部材であるバルコニ妻梁部材
１１Ａ  バルコニ妻梁部材のバルコニ内側の面
２６〜２８  バルコニ床を形成するデッキ部材
３１，９１  水切り部材
５０  上樋部材
６０  下樋部材
【図１】
2006070522.tif 000003
【図２】
2006070522.tif 000004
【図３】
2006070522.tif 000005
【図４】
2006070522.tif 000006
【図５】
2006070522.tif 000007
【図６】
2006070522.tif 000008
【図７】
2006070522.tif 000009